(57)【要約】【課題】屋上緑化などの薄い土壌に形成された植生に、これらと独立に多様な植物からなる植栽を形成する。【解決手段】土壌などを区画する帯状区画材、弾力性条材からなる弾発支持材、及び該弾発支持材の両端を挿通する筒状固定具からなり、植栽区画材両端を結合して円環状とし、該弾発支持材の両端を筒状固定具両端から挿通することにより、その弾力により円環状として円環状植栽区画材内側に弾発支持材を配置して内側からその弾発力により押圧することにより、屋上緑化の土壌基盤層を切り込んで配置した区画体を周囲の土圧に対向して、滑らかな形状に維持する。区画内側に沿って、毛細管作用により水を給水する透水性の不織布と毛細管作用のないマット状の目の粗い合成繊維製不織布を積層してその内部に土壌を充填することにより、独立した植栽を形成する。また、これらの2種類の不織布を積層してなるプランターや植栽用容器用給水・保水シートである。【選択図】        図１
2004187619.tif 000002
【特許請求の範囲】
【請求項１】
土壌などを区画する帯状材若しくは板材を綴ってなる植栽区画材、弾力性のある条材からなる弾発支持材、及び該弾発支持材の両端を挿通する筒状固定具からなり、
植栽区画体両端を結合すると共に、
該弾発支持材の両端を筒状固定具両端から挿通して引き締めることにより、該弾発支持材をその弾力により円環状に形成し、
両端を結合した植栽区画材内に弾発支持材を配置して内側からその弾発力により押圧することにより滑らかな形状を保たせることを特徴とする植栽区画体。
【請求項２】
上記区画体の形成する内側に沿って、透水性の不織布からなる給水・保水シートを配置したことを特徴とする、請求項１記載の植栽区画体。
【請求項３】
上記給水・保水シートが毛細菅効果を有する合成繊維製不織布と毛細菅効果を有さない繊維の粗いマット状の合成繊維製不織布を重ねてなることを特徴とする、請求項２記載の植栽区画体。
【請求項４】
毛細菅効果を有する合成繊維製不織布と毛細菅効果を有さない繊維の粗いマット状の合成繊維製不織布を重ねてなる、植栽容器用給水・保水シート。
【発明の詳細な説明】
【０００１】
【発明が属する技術分野】
建築物屋上などに形成された緑化区域や既存の植生の形成された区域，或いは荒地などに新にこれらと独立した植栽を形成する手段に関する。
【０００２】
【従来の技術】
近年、都市などおいては人間の活動に伴って多くの熱が放出され、またこれらの活動に伴う二酸化炭素の放出による気候への影響が懸念されるようになってきている。
これらへの対策と共に都市における居住環境の改善を目指して、近年都市環境の条件に即した緑化が叫ばれ、ビル屋上やコンクリートなどで覆われた道路法面などの表面を利用した緑化が提案されている。これらの緑化により地上温度を低下させ、緑陰による憩いの場を作ると共に、熱の累積を低減して冷房などの人為的な熱発生の原因も緩和しようとするものである。
このような試みにより、都市などの環境の改善が望まれているのであるが、これらの条件に於いて育成できる植物には制約が多く、また、一方では多様、且つ多種類の植物からなる植栽が望まれるのであり、さらにこれらの植栽がこれらの多くの制約のある条件・環境下で容易に育成できることが望まれる。
【０００３】
このような、都市の未利用空間を緑化する手法として、ビルディングの屋上などの平面に薄く人工的な土壌地盤を形成して、これらの乾燥しやすく、しかも風の強い環境下で育成しやすい植物によって植生を形成することが行われている。
しかしながら、これらの植生はこれらの環境に耐えられること、また、メンテナンスの容易さなどから芝や、近年では多肉植物のセダム類などが多く用いられているが、これらの植栽は、本来乾燥に強いなど、これらの比較的劣悪な条件下でもよく育成できるのであるが、これらの種類の植物に限られると花などの彩りに乏しく、単調な環境・景観になりやすい。
そこで、これらの植物に加えて、さらに種類を増やし、多様な形態の植栽を形成することが試みられている。特に、近年普及し始めている屋上庭園などでは花などの色彩豊かな植物の育成が望まれるが、一般にこれらの環境下では育成困難である。
【０００４】
また、一般に植物は厳しい環境に耐える能力が異なるばかりでなく、それぞれ適応する環境条件自体が異なるのであるから、これらに好適な環境としない限り花を付け、実を結ぶなどの成果は十分には得られない。
このようなことから、これらの多種多様な植物をこのような環境のもとで育成するには、植栽を形成する植物それぞれに適した保水性、通気性、土質、肥料などの育成土壌環境を確保しなければならない。
【０００５】
また、通常の庭園や花壇などに於いても、既成の土壌などと異なる条件を好む植物を新に育成する場合などには、同様の問題が生じる。
このため、これらの植物の育成には、その植え込まれた周囲の土壌に対して、土壌の調整を行い、潅水条件なども工夫するのであるが、周囲の環境との差が大きいと自ずと限界があり、またそのための管理も困難である。このような場合に、板材などの土留めを施して周囲と隔離し、或いは土壌を盛り上げるなどして水はけや通気性を調整するなどするが、周囲の土壌中に埋め込む構造となるために周囲からの土圧により区画の形状が整え難く、また、長年の間にその影響で区画の形が歪みやすい。
【０００６】
【発明が解決しようとする課題】
屋上の緑化区域や庭園、花壇或いは荒地などに形成された植生に、これらと独立に多様な植物からなる植栽を形成するための区画を形成し、かつ区画を容易に整え、整備することによって、既存の植生に対して多様性を持たせる。また、これらの区画内の土壌環境を独立にかつ容易に維持することによって、管理／メンテナンスの経費を低減する。
【０００７】
【課題を解決するための手段】
本発明は、土壌などを区画する帯状材若しくは板材を綴ってなる植栽区画材、弾力性のある条材からなる弾発支持材、及び該弾発支持材の両端を挿通する筒状固定具からなり、
植栽区画材両端を結合すると共に、該弾発支持材の両端を筒状固定具両端から挿通して引き締めることにより、該弾発支持材をその弾力により円環状に形成し、両端を結合した植栽区画材内に弾発支持材を配置して内側からその弾発力により押圧することにより滑らかな形状を保たせることを特徴とする植栽区画体であり、上記区画材の形成する区画内側に沿って、透水性の不織布からなる給水・保水シートを配置して、植栽区画体内の土壌の水分などの調整を行うことができる。
さらに、これらの区画体内周面に沿って配置する透水性の不織布を、毛細管作用により水を給水する透水性の合成繊維製不織布と毛細管作用のないマット状の目の粗い合成繊維製不織布を重ねて積層してなり、また、これらの2種類の不織布を積層してなるプランターや植栽用容器用給水・保水シートである。
【０００８】
【発明の実施の形態】
図１に本発明の植栽区画体の基本構成を示す。
図において、１はプラスチック製などの素材からなる可撓性の板材又はメッシュ材からなる区画材、２はガラスファイバー強化プラスチック（ＦＲＰ）などからなる弾発力のある細棒などの条材からなる弾発支持材であり、３はプラスチック製などの筒状体からなる固定具、５，６は透水性の合成繊維製不織布などからなる給水・保水シートである。
これらの区画体の組立は、図２に示すように区画材を曲げて両端を結合１３して環状のいわゆる土留めを形成する。
その内側に給水・保水シート５をあてがい、底面にも給水・保水シートを敷き込んで、さらに固定具により環状に形成した弾発支持材２で押圧して円状に成形し、耐乾燥植物２５などを植え込んだ基盤土壌を切り込んだ空間に設置する。
設置した区画体内に土壌を充填して植物を植え込む。
【０００９】
弾発支持材２は、図３に示すようにその弾発力に抗して曲げて、その両端を筒状の固定具３の両端開口から挿入し、反対側から若干出る程度にすると、その曲げに対する反発力のために固定具内で自ら拘束されて固定される。この弾発支持材を予め円環状に形成した区画材内周面にあてがい、固定具両端からの引き出し・押し込み量を調節することにより、弾発支持材が区画体内側の弾発力により周囲の土圧に対向してその円環状の区画を保つことができる。
このあと、さらに植え込む植物に合わせて成分を調整した土壌を区画体内に充填して、植物を植え込む。
このようにして形成された区画内は、周囲がどのような土壌や水分環境であっても周囲と独立して土壌成分を調整・保持することができ、水分や通気性などについてもこれらの土壌成分の調整及び区画体内周と底面に配置された給水・保水シートとにより広い条件範囲で調整可能であり、また、区画体の形状が長期にわたって保たれるため、区画内に充填された土壌も流出することなく維持される。
【００１０】
図４は、このようにして形成された区画体を、屋上緑化環境に適用した例であって、周囲は屋上の乾燥しやすく、風の吹き付ける環境であるため、セダムや芝生などの乾燥に強い植物２５が植え込まれており、その断面図に示すように、屋上緑化は、屋上構造５０上に、耐水・耐根フィルム５１、排水層５２、保水層５３を形成し、その上に床土層５４を充填して風や流水により流されないように植生マット、目土や押さえ砂利などの表層５５を設けて植生を形成している。
【００１１】
本発明の区画体は、これらの植生の形成された土壌を保水層まで堀込んでその中に区画材を配置し、上記のように給水・保水シートを配置して弾発支持材によって区画を保たせ、土壌を充填する。
図に示すように、該区画体内は、給水・保水シートの種類や厚さなどを選択することによって水分の調整がなされると共に、充填する土壌は周囲の土壌とは別途調整し、またその充填量、若しくは盛り上げる高さも調整できるため、土質や水はけなども植え込む植物に合わせた調整が可能である。
図においては、周囲の丈の低い乾燥に強い植物２５に対して、背の高い植物２６を植えているが、土質や植え込む土壌の層の厚さも変更できるため、植え込む植物の種類についても選択する自由度が大きい。
【００１２】
本発明の植生区画体は、弾発力のある弾発支持材によって板状の区画体の内側から支持してその形状を保つため、比較的薄く、柔軟な材質の区画材を使用しても、土壌基盤に形成した開口部に埋め込むに際して折れ込んだりすることがなく、施工が容易であり、区画の周囲が滑らかな形状にできるため仕上がりが美麗である。
この形状自体は、円環状に限らず、植栽を形成する区域を楕円形やさらに細長く引き伸ばした形状としたという要請がある場合にも、これらに対しても弾発支持材を曲げて区画体内側を支持させるため、対称な形状を保って滑らかな外形に仕上げることができる。
さらに、図５に示すように区画体として連続した一枚の板から形成する（Ａ）場合のみでなく、比較的剛性のある板材を使用して植生の区画を多角形とすることもできる。
図５（Ｂ）に示すように、６枚の板材をヒンジ１２で接続して六角形とし、同様に弾発支持材で内側からその弾発力で支持することにより、区画体は周囲の土圧によって倒れこむことなく容易に施工することができ、また長期間にわたってその区画の形状を維持することができる。
【００１３】
多角形の形状としては、三角形以上任意の形状とできるが、弾発支持材による形状の保持効果は、円に近いほど容易であって、５角形以上とすることが望ましい。
このように種々の植栽の区画形状が採用できることは、庭園などの植栽の変化を与える効果があり、庭園設計上有利である。
【００１４】
また、これらの区画体の内面及び底面に沿って配置した給水／保水シートは、親水性の合成繊維製不織布で、毛細管効果により水分が浸透してシート全面に速やかに、且つ均一に拡散／浸透する。このため、雨水や潅水によって水分が供給されると、該シートは直接及び土壌から水分を吸収して、敷き込んだ土壌の周囲から均一に水分を供給するため、潅水が地表を流れて失われることなく有効に土壌中に供給し、或いは余分な水分を底部からさらに下層の土壌中やプランターなどの植栽容器底から排出して湿潤になりすぎることを防止する。
上記においては、給水／保水シートを毛細菅効果を有する合成繊維製不織布としたが、さらに水分と共に土壌中に酸素補給を行ない、また、プランターなどの植栽容器を用いる場合にその器壁が日光などで加熱されたり、外気温の変動したりすることによる影響を低減するため、上記の毛細菅効果効果のある合成繊維製不織布の外側に同じく合成繊維製であって、これよりも繊維が粗く、かつ毛細菅効果のないマット状の不織布を重ねて積層して用いることにより、区画体内、或いはプランターなどの植栽容器中の土壌の水分及び酸素供給環境を安定した状態に維持することができる。
【００１５】
【実施例】
図６A〜C及び図７A〜Cを参照して、具定例を説明する。
図６A,は、本発明を構成する資材一式及び植栽区画体を円環状に組み立てた状態を示す。
植栽区画体は、合成樹脂製の厚さ：約２ｍｍの目の粗いメッシュ（メッシュサイズ：約３ｍｍ）の帯状材からなり、給水／保水シートとして毛細菅効果効果のある合成繊維製不織布とその外側に毛細菅効果効果のない繊維の粗いマット状合成繊維製不織布を重ねて、植栽区画材の内周及び底面に配置した。
弾発支持材は、ガラスファイバー強化樹脂製の径約３ｍｍ、長さ約１６０ｃｍの棒材からなり、内径約６ｍｍ、長さ約８０ｍｍの合成樹脂製円筒からなる固定具にその両端を挿入して引き締めることによりその弾力によって径約５０ｃｍの円形を保持させた。
設置するに当たっては、図６Bに示すように組み立てた植栽区画体を屋上などに形成した植物名セダムなどの植生上に置いて、その配置を決める。
【００１６】
植物名セダムを植え込んだ、耐根シート、排水層、床土層など合計厚さ約５０ｍｍの人工基盤を排水層まで切り込んで植栽区画体を埋め込み、その中に軽量土壌を充填し、ローズマリーなどを植え込んで、マルチング材を施し、潅水して施工を終える（図６C）。
この例のような屋上では、風が強く、乾燥するため冬季などには養生シートで覆って一時的な保護をするが、植付け状態が安定して活着すれば、乾燥の激しい冬季、夏季以外は潅水しなくともほとんど雨水のみで育成することができる。
図７A〜Cは、植え込みを完了した屋上植栽の状態を示す。植え込み直後であるため、植栽区画体などの外周部分が露出して見えるが、植物が成長すると植栽がこれらの区画を覆うため、全体として植栽からなる景観となる。
本発明による植栽環境は、屋上などの環境に於いても通常の花壇と同等以上に安定した育成環境を保つことができるため、ポットなどで育成して花時ごとに植え替える一年草などよりも、多年生の宿根草や潅木などに適しており、これらの多様な植物からなる自然な景観を創出することが可能であり、庭園設計の自由度、多様さを演出することもできる。
【００１７】
【発明の効果】
本発明の植栽区画体は、屋上庭園など育成可能な植物の制約の多い環境において、多様な植物からなる植生を可能とし、また、施工からその管理／維持においても容易であって、庭園の形態も変化に富んだ植栽を形成できるため、都市環境から個人のガーデニングの領域に至るまで、幅広い要請に応えるものであり、環境対策上もその普及により資するところが大きい。
【図面の簡単な説明】
【図１】本発明の植栽区画体の基本的構成を示す説明図。
【図２】本発明の植生区画体の組立法を示した説明図。
【図３】本発明の植生区画体の弾発支持材の固定方法を示す説明図。
【図４】本発明の植生区画体を用いた施工後の断面図。
【図５】本発明の植生区画体の他の実施形態。
【図６】屋上の緑化区域に本発明を摘要した実施例（A〜C)
【図７】屋上の緑化区域に本発明を摘要した実施例（A〜C）。
【符号の説明】
１    区画体
２    弾発支持材
３    弾発支持材御固定具
５、６  給水・保水シート
２０  植え込み土壌
２５  耐乾燥植物
２６  丈の高い植物
１１  区画体（多角形）
１２  ヒンジ
１３  結合部
５０  屋上構造
５１  耐水・耐根フィルム
５２  排水層
５３  保水層
５４  床土
５５  植え込み層
【図１】
2004187619.tif 000003
【図２】
2004187619.tif 000004
【図３】
2004187619.tif 000005
【図４】
2004187619.tif 000006
【図５】
2004187619.tif 000007
【図６】
2004187619.tif 000008
【図７】
2004187619.tif 000009